(57)【要約】  【課題】製造コストの安い温度応答性ディバイスを提供する。  【解決手段】本発明の温度応答性ディバイス１では、温度応答性セル２０は透明なセル容器２１を有しており、表示部１８はセル容器２１の観察面２９上、又は、観察面２９とは反対側の面上に配置されている。セル容器２１内配置された温度応答性組成物２５はある下限臨界溶液温度以上で不透明となる。表示部１８が観察面２８とは反対側の面に配置されている場合には、温度応答性組成物２５が透明になると表示部１８が読み取れるようになる。表示部が観察面上にある場合には、表示部の色を温度応答性組成物が不透明な時の色と同じにし、背景色の色を変えることで温度応答性組成物が透明なときに表示部が観察されるようになり、逆に表示部の色を温度応答性組成物が不透明なときの色と異なる色にすれば、温度応答性組成物が不透明なときに表示部が観察されるようになる。【選択図】図２
2005164528.tif 000002
【特許請求の範囲】
【請求項１】
セル容器と、前記セル容器内に配置された温度応答性組成物とを有する温度応答性セルを有し、
前記温度応答性組成物は水を含有する溶媒と、前記溶媒に混合された温度応答性ポリマーとを有し、
前記温度応答性ポリマーは、前記温度応答性物質を下限臨界溶液温度以上では不透明にし、前記下限臨界溶液温度未満では透明にするポリアクリル系物質が選択され、
前記セル容器の一面で観察面が構成され、
前記セル容器の前記観察面とは反対側の面上には表示部が配置され、
前記温度応答性組成物が透明なときには、前記観察面から前記表示部が観察される温度応答性ディバイス。
【請求項２】
セル容器と、前記セル容器内に配置された温度応答性組成物とを有する温度応答性セルを有し、
前記温度応答性組成物は水を含有する溶媒と、前記溶媒に混合された温度応答性ポリマーとを有し、
前記温度応答性ポリマーは、前記温度応答性物質を下限臨界溶液温度以上では不透明にし、前記下限臨界溶液温度未満では透明にするポリアクリル系物質が選択され、
前記セル容器の一面で観察面が構成され、
前記セル容器の前記観察面とは反対側の面には、前記温度応答性組成物が不透明なときの色とは異なる色の背景色が配置され、
前記観察面上には前記温度応答性組成物が不透明なときと同色の表示部が配置され、
前記温度応答性組成物が透明なときは前記観察面側から前記表示部が観察される温度応答性ディバイス。
【請求項３】
セル容器と、前記セル容器内に配置された温度応答性組成物とを有する温度応答性セルを有し、
前記温度応答性組成物は水を含有する溶媒と、前記溶媒に混合された温度応答性ポリマーとを有し、
前記温度応答性ポリマーは、前記温度応答性物質を下限臨界溶液温度以上では不透明にし、前記下限臨界溶液温度未満では透明にするポリアクリル系物質が選択され、
前記セル容器の一面で観察面が構成され、
前記セル容器の前記観察面とは反対側の面には、前記温度応答性組成物が不透明なときの色とは異なる色の背景色が配置され、
前記観察面上には前記背面色と同色の表示部が配置され、
前記温度応答性組成物が不透明なときには前記表示部が観察される温度応答性ディバイス。
【請求項４】
セル容器と、前記各セル容器内に配置された温度応答性組成物とを有し、
前記温度応答性組成物は水を含有する溶媒と、前記溶媒に混合された温度応答性ポリマーとを有し、
前記温度応答性ポリマーは、前記温度応答性物質を下限臨界溶液温度以上では不透明にし、前記下限臨界溶液温度未満では透明にするポリアクリル系物質が選択され、
前記各温度応答性セルの前記配合比率は、前記下限臨界温度が互いに異なるように設定された温度応答性ディバイスであって、
前記各セル容器の一面でそれぞれ観察面が構成され、
前記各観察面の一部領域上には表示部がそれぞれ配置され、
前記セル容器の前記観察面とは反対側の面であって、前記表示部が配置された位置には背景色が配置され、
前記各温度応答性セルは前記観察面を同じ向きに向けられ、前記表示部が互いに重なり合わないように積層され、
前記各温度応答性セルには、前記温度応答性ディバイスを観察する側から下限臨界溶液温度が高い前記温度応答性セルが順番に配置された温度応答性ディバイス。
【請求項５】
前記表示部は前記温度応答性組成物が不透明なときの色とは異なる色であって、前記背景色と同じ色にされた請求項４記載の温度応答性ディバイス。
【請求項６】
前記表示部は前記温度応答性組成物が不透明なときの色と同じ色であって、前記背景色とは異なる色にされた請求項４記載の温度応答性ディバイス。
【請求項７】
前記温度応答性セルは板状にされた請求項１乃至請求項６のいずれか１項記載の温度応答性ディバイス。
【請求項８】
前記温度応答性ポリマーは前記ポリアクリル系物質として、ポリ（N−アルキル置換アクリルアミド）とポリ（N−アルキル置換メタクリルアミド）のいずれか一方又は両方を含有する請求項１乃至請求項７のいずれか１項記載の温度応答性ディバイス。
【請求項９】
前記温度応答性組成物の溶媒には多価アルコールが添加された請求項１乃至請求項８のいずれか１項記載の温度応答性ディバイス。
【請求項１０】
前記温度応答性組成物はゲル状にされた請求項１乃至請求項９のいずれか１項記載の温度応答性ディバイス。
【請求項１１】
前記温度応答性組成物にはゲル化剤が添加された請求項１０記載の温度応答性ディバイス。
【発明の詳細な説明】
【技術分野】
【０００１】
本発明は環境や物質の温度に関する情報を表示するディバイスに関するものであり、特定の温度において任意のメッセージなどを表示する温度応答性ディバイスに関するものである。
【背景技術】
【０００２】
従来より、環境温度にしたがって特定のメッセージを表示する温度応答性ディバイスとしては、サーモクロミックラベルなどがあるが特殊なサーモクロミック塗料を必要としその価格が高いという欠点がある。
【発明の開示】
【発明が解決しようとする課題】
【０００３】
本発明は上記従来技術の不都合を解決するために創作されたものであり、その目的は、温度応答性ディバイスを低コストで作製することである。
【課題を解決するための手段】
【０００４】
上記課題を解決するために請求項１記載の発明は、セル容器と、前記セル容器内に配置された温度応答性組成物とを有する温度応答性セルを有し、前記温度応答性組成物は水を含有する溶媒と、前記溶媒に混合された温度応答性ポリマーとを有し、前記温度応答性ポリマーは、前記温度応答性物質を下限臨界溶液温度以上では不透明にし、前記下限臨界溶液温度未満では透明にするポリアクリル系物質が選択され、前記セル容器の一面で観察面が構成され、前記セル容器の前記観察面とは反対側の面上には表示部が配置され、前記温度応答性組成物が透明なときには、前記観察面から前記表示部が観察される温度応答性ディバイスである。
請求項２記載の発明は、セル容器と、前記セル容器内に配置された温度応答性組成物とを有する温度応答性セルを有し、前記温度応答性組成物は水を含有する溶媒と、前記溶媒に混合された温度応答性ポリマーとを有し、前記温度応答性ポリマーは、前記温度応答性物質を下限臨界溶液温度以上では不透明にし、前記下限臨界溶液温度未満では透明にするポリアクリル系物質が選択され、前記セル容器の一面で観察面が構成され、前記セル容器の前記観察面とは反対側の面には、前記温度応答性組成物が不透明なときの色とは異なる色の背景色が配置され、前記観察面上には前記温度応答性組成物が不透明なときと同色の表示部が配置され、前記温度応答性組成物が透明なときは前記観察面側から前記表示部が観察される温度応答性ディバイスである。
請求項３記載の発明は、セル容器と、前記セル容器内に配置された温度応答性組成物とを有する温度応答性セルを有し、前記温度応答性組成物は水を含有する溶媒と、前記溶媒に混合された温度応答性ポリマーとを有し、前記温度応答性ポリマーは、前記温度応答性物質を下限臨界溶液温度以上では不透明にし、前記下限臨界溶液温度未満では透明にするポリアクリル系物質が選択され、前記セル容器の一面で観察面が構成され、前記セル容器の前記観察面とは反対側の面には、前記温度応答性組成物が不透明なときの色とは異なる色の背景色が配置され、前記観察面上には前記背面色と同色の表示部が配置され、前記温度応答性組成物が不透明なときには前記表示部が観察される温度応答性ディバイスである。
請求項４記載の発明は、セル容器と、前記各セル容器内に配置された温度応答性組成物とを有し、前記温度応答性組成物は水を含有する溶媒と、前記溶媒に混合された温度応答性ポリマーとを有し、前記温度応答性ポリマーは、前記温度応答性物質を下限臨界溶液温度以上では不透明にし、前記下限臨界溶液温度未満では透明にするポリアクリル系物質が選択され、前記各温度応答性セルの前記配合比率は、前記下限臨界温度が互いに異なるように設定された温度応答性ディバイスであって、前記各セル容器の一面でそれぞれ観察面が構成され、前記各観察面の一部領域上には表示部がそれぞれ配置され、前記セル容器の前記観察面とは反対側の面であって、前記表示部が配置された位置には背景色が配置され、前記各温度応答性セルは前記観察面を同じ向きに向けられ、前記表示部が互いに重なり合わないように積層され、前記各温度応答性セルには、前記温度応答性ディバイスを観察する側から下限臨界溶液温度が高い前記温度応答性セルが順番に配置された温度応答性ディバイスである。
請求項５記載の発明は、請求項４記載の温度応答性ディバイスであって、前記表示部は前記温度応答性組成物が不透明なときの色とは異なる色であって、前記背景色と同じ色にされた温度応答性ディバイスである。
請求項６記載の発明は、請求項４記載の温度応答性ディバイスであって、前記表示部は前記温度応答性組成物が不透明なときの色と同じ色であって、前記背景色とは異なる色にされた温度応答性ディバイスである。
請求項７記載の発明は、請求項１乃至請求項６のいずれか１項記載の温度応答性ディバイスであって、前記温度応答性セルは板状にされた温度応答性ディバイスである。
請求項８記載の発明は、請求項１乃至請求項７のいずれか１項記載の温度応答性ディバイスであって、前記温度応答性ポリマーは前記ポリアクリル系物質として、ポリ（N−アルキル置換アクリルアミド）とポリ（N−アルキル置換メタクリルアミド）のいずれか一方又は両方を含有する温度応答性ディバイスである。
請求項９記載の発明は、請求項１乃至請求項８のいずれか１項記載の温度応答性ディバイスであって、前記温度応答性組成物の溶媒には多価アルコールが添加された温度応答性ディバイスである。
請求項１０記載の発明は、請求項１乃至請求項９のいずれか１項記載の温度応答性ディバイスであって、前記温度応答性組成物はゲル状にされた温度応答性ディバイスである。
請求項１１記載の発明は、請求項１０記載の温度応答性ディバイスであって、前記温度応答性組成物にはゲル化剤が添加された温度応答性ディバイスである。
【発明の効果】
【０００５】
本発明によれば、温度応答性ディバイスを安価な価格で提供することが可能である。
【発明を実施するための最良の形態】
【０００６】
本発明の温度応答性ディバイスは、１）温度応答性セルとこれを装着する２）筺体と３）温度応答性メッセージ（表示部）とで構成される。
この温度応答性セルは、特定の環境温度に対応して透明・白濁の変化を起こすように設計されており、温度に対するこの変化の応答速度は、セルの面積には無関係であるため、セルの面積をいくら大きくしても応答速度が低下することはなく、任意の大きさの温度応答性ディバイスを比較的安価に作成することができる。すなわち、今まで現実的でなかったメートルサイズ以上のディバイスの作製の実現が可能になる。
【０００７】
この温度応答性セルの構造は、透明なセル容器に温度応答性組成物が充填され、密封された簡単なものである。必要に応じては、セル内に温度変化によって生じる温度応答性組成物の体積変化を吸収する空間をダム機能として設けておくことが好ましい。
【０００８】
この温度応答性セルは単独で用いることもできるし、また、違った温度で変化するように設定されている複数個を並べたり、重ねたりしてより複雑な表示ディバイスを作成することもできる。
以下に本発明本発明に用いる温度応答性組成物について説明する。
【０００９】
＜１．組成物＞
この温度応答性セルが特定の環境温度に対して透明・白濁の変化を起こす機能は、セル内に配置された温度応答性組成物によってもたらされる。温度応答性組成物はＡ）温度応答性ポリマーと、Ｂ）水と、Ｃ）多価アルコールとを有し、必要に応じて一価のアルコール、アニオン系界面活性剤、着色剤などが添加された組成物である。
【００１０】
この温度応答性組成物の透明・白濁の変化を起こす温度である下限臨界溶液温度は、
１）温度応答性ポリマーの種類と添加量、
２）多価アルコールの種類と添加量、
３）一価アルコールの種類と添加量、
４）アニオン系界面活性剤の種類と添加量
によって決定付けられる。
【００１１】
温度応答性ポリマーの種類はポリ（N−アルキル置換アクリルアミド）とポリ（N−アルキル置換メタクリルアミド）がシャープな変化を示す点で好ましい。これらの例としては、ポリ（N−シクロプロピルアクリルアミド）、ポリ（N−エチルアクリルアミド）、ポリ（N−イソプロピルアクリルアミド）、ポリ（N−ノルマルプロピルアクリルアミド）、ポリ（N、N−ジエチルアクリルアミド）及びこれらのメタクリルアミドなどである。これらの中でも、ポリ（Ｎ−イソプロピルアクリルアミド）は特にシャープな変化を示すので、本発明においても最も好ましいポリマーである。
【００１２】
この温度応答性ポリマーの好ましい添加濃度は組成物全体の０．１重量％以上２０重量％以下の範囲内である。添加濃度が０．１重量％より薄いと白濁時の不透明性を十分に得る為には、セルの厚みを厚くしなくてはならず、熱容量が増大するため応答性が遅くなる結果となり好ましくない。しかし、白濁時に半透明の状態を設定したい場合にはこの限りではない。濃度が２０重量％より濃いと、溶解が困難となり、シャープな変化が得られなくなる。
【００１３】
本発明に用いられる多価アルコールは化学構造中に水酸基を２つ以上有する化合物であり、例示すれば、エチレングリコール、ジエチレングリコール、トリエチレングリコール、プロピレングリコール、ジプロピレングリコール、グリセロール、等である。また、ポリアルキレングリコール類のような高分子であっても、水への溶解性が良好なものであれば、これらをも含めることができる。その例を挙げれば、ポリエチレングリコール、ポリプロピレングリコール、エチレンオキサイドとプロピレンオキサイドの共重合体、などである。これらの分子量は水に溶解しうる限りにおいて制限はなく、オリゴマーから分子量が数百万程度のものまで使用可能である。
【００１４】
これらの多価アルコールは温度応答性組成物のＬＣＳＴ（Lower Critical Solution Temperature：下限臨界溶液温度）を降下させる作用が大きく、その添加量により、温度応答性ポリマーの水溶液である温度応答性組成物のＬＣＳＴを−３０℃付近にまで下げることが可能である。そして、添加量を微妙に調整することで、温度応答性組成物のＬＣＳＴを任意の温度に設定することができる。
【００１５】
たとえば、温度応答性ポリマーとしてポリ（Ｎ−イソプロピルアクリルアミド）を使用した場合は、水だけを溶媒として用いた応答性ポリマーの水溶液のＬＣＳＴは３２.２℃であるが、これを水とエチレングリコールとの混合溶剤にした場合、水に対するエチレングリコールの比率を、混合溶媒に含まれる体積％でＸ％を添加すると、その時のＬＣＳＴ（Ｙ℃）は下記数式（１）で表される温度にある。
【００１６】
数式（１）：Ｙ＝−０．０００３Ｘ3＋０．００８２Ｘ2−０．４３２２Ｘ＋３２．２１
例えば、エチレングリコールを６０体積％（水４０体積％）とすると、ＬＣＳＴは−２９℃になる。
【００１７】
そしてこの添加量を正確に定めれば、ＬＣＳＴもまた正確に決定づけられる。その精度は１℃以内であり、さらに他のすべての要因をコントロールすれば、その精度を０．２℃とすることも可能である。
【００１８】
一価のアルコールもまた、上記の多価アルコールとほぼ同様にＬＣＳＴの低下効果を与えることができる。しかし、炭素数が３個以下の一価のアルコールは、その沸点が低く、使用中に蒸発し、組成変化を起こす可能性が高いという問題がある。また、炭素数が４以上のアルコールは、一般的に水に対する溶解性が悪く、多くを配合できないという問題がある。そこで、前記の多価アルコールに代えて一価のアルコールを使う大きな理由はない。粘度などの調整が必要な場合に、多価アルコールと共に、補助的に使う程度である。
【００１９】
アニオン系界面活性剤は、ＬＣＳＴを上昇させる効果があり、ＬＣＳＴを高温側に調整する際に必要となる。例えば、ＬＣＳＴの上昇に効果的な界面活性剤の例は、ドデシルベンゼンスルフォン酸ナトリウムである。前記のポリ（Ｎ−イソプロピルアクリルアミド）水溶液の場合、溶液に対して、１重量％の添加でＬＣＳＴは８１℃に、２重量％の添加で９０℃まで上昇する。
【００２０】
この効果は、多価アルコールを含む混合溶媒においても認められる。すなわち、多価アルコールとアニオン系界面活性剤とを適時組み合わせることで、任意のＬＣＳＴを有する組成物を調合することができる。
【００２１】
本配合に着色剤を添加する効果は、本発明の温度応答性組成物が透明・白濁の変化を起こす際に、それに色合いを付与できることである。顔料や染料などを使用できるが、着色剤の光透過性の良いものが好ましい。着色剤の光遮蔽性があまり高いと、温度応答性ポリマーの溶液が透明・白濁の変化を起こしても、それを見えなくしてしまうので好ましくない。
【００２２】
本発明の温度応答性組成物は、さらにゲル化剤を添加することで、流動性のないゲル状にすることができる。また、別の方法として、別途、架橋性モノマーを配合し、それを重合させることでゲル化させることもできる。さらには、ポリ（ N-イソプロピルアクリルアミド）に架橋点を導入しておき、架橋剤を添加することでポリ（ N-イソプロピルアクリルアミド）自身を網目構造とすることでゲル化させることもできる。ゲル化させるメリットとしては、流動性がないため、白濁した組成物の安定性を向上させることができる。
【００２３】
＜２．セル容器＞
セル容器の材料としての条件は、透明性が高く、水と多価アルコールの混合溶剤に対して耐性があり、溶媒蒸気の透過性が低い材料からできていることが重要な条件である。このような材料の例としては、ガラス、アクリル樹脂、ポリカーボネート樹脂、ポリエチレンテレフタレート樹脂、透明エポキシ樹脂などが挙げられる。多少透明性は劣るがポリオレフィン樹脂なども使用可能である。
【００２４】
セル容器の形状は球状、柱状、円筒状、平板状、円盤状、立方体形状など自由な形状にすることができる。これらの容器はビン状の容器に栓をした構造や、２枚の板をスペーサーを介して接合し、一定のギャップを有した構造、二枚のフィルムをヒートシールなどの方法で張り合わせたフレキシブルなシート構造などをとることができる。
【００２５】
セル容器の観察面はその形状が平板状の場合にはセル容器の表面又は裏面で構成され、その形状が立方体形状の場合は一面で構成される。
また、円筒状や柱状の場合は底面であっても、側面であってもよい。球状の場合は、観察面は球状表面のうち観察する一部分であり、表示部はその一部分上、又は球状表面の該一部分とは反対側に位置する部分に配置される。
【００２６】
また、セル容器の大きさは、特に限定はないが、現実的には、最小はミリサイズから最大はメートルサイズまで可能である。
しかし、セル容器のサイズが大きい場合には、セルの内容量が大きく、従ってセルの熱容量も大きくなり、環境温度と平衡状態になるまでに長い時間を要してしまうことになり、すなわち温度応答時間が長くなるため、多くの用途に対しては不都合になってしまう。
【００２７】
この問題を解決するためには、セルの大きさが大きい場合には、セルの厚みを薄くすることで、セル容量を減らし熱容量を小さくすることが大切である。具体的にはセルの内空間のギャップ厚みは０．３ｍｍ以上１０ｃｍ以下にすることが好ましい。こうすることでたとえ面積の大きいセルであっても、温度応答時間を数分以内にすることができる。
しかしながら、応答時間が長くても良い用途の場合には、セル容器の厚みを厚くしてもかまわない。
【００２８】
＜３．筐体＞
筐体は温度応答性セルを取り付ける支持体であって、複数の温度応答性セルを取り付ける場合は、それらを直線状に並べたり、円状に配列したりできるような形につくられる。また、筐体には後述する温度応答性のメッセージを記入させる役目も持っている。このような筐体は必ずしも、単独で用いる必要はなく、セル自身に筐体の役目を兼ねさせるような設計にしてよい。
【００２９】
＜４．温度応答性ディバイス＞
本発明の温度応答性ディバイスは上記の温度応答性セルと筐体と以下に述べる温度応答性メッセージ（表示部）とを組み合わせることにより形成される。
温度応答性メッセージとは、温度応答性セルが、あらかじめ設定された温度において、透明・白濁の変化を起こした際に、現れたり、消えたりするように配置されているメッセージである。
【００３０】
このようなメッセージを温度応答性セルの背面や前面に配しておき、セルが透明・白濁した結果そのメッセージが可視化されるようになる。このようなメッセージはセルに直接に印刷しておいても良いし、別途紙やフィルムに印刷したものをセルに張り合わせたり、筐体に印刷しておきその上にセルを設置するなど種々の工夫された配置を取ることができる。
【００３１】
メッセージ背面配置：ポリ（Ｎ−イソプロピルアクリルアミド）に代表されるようなＬＣＳＴを有する温度応答性ポリマーを採用したばあいには、セルの背面に温度応答性メッセージを配置することは、最も簡単な形態となる。すなわち、セルの背面に配置したメッセージは設定温度より高温側ではセルが白濁しているため視認できない。しかし、温度が設定温度より低温側になるとセルは透明化されメッセージが可視化される。
【００３２】
メッセージ前面配置：また、メッセージをセルの前面に配置することもできる。ＬＣＳＴを有するポリマーを採用した場合では、メッセージをセルの前面に配置するには多少工夫が必要となる。まず、セルの前面に直接メッセージを印刷するか、透明フィルムやガラスのような光透過性のある基材に印刷したメッセージを配置する。次に、セルの背面には、メッセージの色とコントラストのある背景色を配置する。この背景色は、単色のべた印刷であってもよいし、模様や風景などの印刷であっても良い。
【００３３】
このように前面にメッセージを配置し、背面に背景を配置した場合、その色の使い方によってメッセージの可視化には二つの方法をとることができる。ひとつの方法は、メッセージの色をセルの白濁時の色と同一の色としておくことで、設定温度より高温側ではメッセージが視認できない状態にしておき、背景色はメッセージの色とコントラストに差のある色にする。このようにした場合、設定温度より低温側では、セルが透明化するため、背面に配置した背景が可視化できるようになり、メッセージ部分とのコントラストの差が生じ、メッセージが可視化できるようになる。
【００３４】
もうひとつの方法は、メッセージの色をセルの白濁時の色とは異なり、かつ背景色と同色にしておくことである。この場合は、最初の方法とは逆に、設定温度より低温側では、セルは透明であるため、背景色とメッセージが同時に表示されるが、同色であるため、可視化されない。そして、設定温度より高温側では、セルが白濁するため、メッセージ色とセルの白濁色とのコントラストの差が生じ、メッセージが可視化される。
【００３５】
メッセージ両面配置：さらに、メッセージを背面と前面の両方に配置することも可能である。この場合は、背面メッセージは、背景色の中に印刷し、前面メッセージに重なり合わないような位置にしておくとよい。そうすることで、設定温度より低温側で、背景色と共に背面メッセージが可視化されることとなり、前面メッセージを、セルの白濁色に合わせておけば、前面、背面共にメッセージが見えない状態から、両方のメッセージを可視化させることができる。あるいは、前面のメッセージ色を背景色に合わせておけば、前面メッセージがが表示されている状態から、前面メッセージの表示が消え、背面メッセージの表示を可視化させることができる。
【００３６】
複数セルの重ね合わせ：また、別々の変化温度に設定されている複数個の温度応答性セルを重ね合わせて配置し、それぞれのセルに対応する設定温度において、各セルを段階的に、透明・白濁の変化を起させることで、複数のメッセージを段階的に表示させることもできる。この場合には、メッセージは前面と背面に加えて、セルとセルの中間に配置することで達成することができる。
【００３７】
意匠性表示ディバイス：また、本発明の温度応答性ディバイスは、温度の変化と共に色合いが変化する意匠性表示ディバイスとすることもできる。すなわち、ばらばらの温度に設定された多数個のセルと種々の色の着色小片とをランダムに混合し、透明な容器の中に封入したディバイスである。温度応答性セルは最も高温側ではすべて白濁し、最も低温側ではすべてが透明化するので、温度の変化と共に、ばらばらの位置のあるセルが順次透明・白濁の変化を起こし、それと共に同時に封入してある着色小片の色が現れたり、隠れたりすることで、全体の色合いが温度と共に順次変わるものである。
【００３８】
このような意匠性温度ディバイスにおいて、おのおのの温度応答性セル自身をさらに、着色することで、より複雑な色合いの変化を表示できるディバイスとすることができる。
また、セルを筐体の表裏に取り付け、必要な側を裏返して使ったり、観音開きの筐体や、折りたたみ可能な筐体など、ディバイスの筐体デザインもまた自由に設計できるものである。
【００３９】
応用例：本発明の特定温度でメッセージが現れる温度応答性ディバイスは、このメッセージにより、温度の情報に関しての注意表示、警告表示、案内表示、などを行うディバイスとしての応用がある。例えば、高温では”熱い！やけど注意”というようなメッセージで注意表示をしたり、零度付近の温度では”凍結注意”というような交通安全に関する注意表示をしたりすることができる。また、ビールなど飲み物の飲み頃の温度表示や、冷凍庫や冷蔵庫の温度が適切かどうかを示す、あるいは部屋の冷房温度が適切かどうかを示すような適正温度の表示などに使うことができるものである。
本件の温度応答性ディバイスは、玩具、アクセサリー、モニュメント等に応用することができる。
【００４０】
温度応答性ホモポリマーの合成と精製：
＜合成例１＞
N-イソプロピルアクリルアミド（NIPAAmモノマー、（株）興人製）30gを酢酸エチル60gとトルエン90gの混合溶媒に溶解した。これに、重合開始剤（商品名「ナイパーBW」日本油脂（株）製）1.2gを添加、溶解した。この溶液を、攪拌機を有する容量０．５リットルのガラス製反応容器に移し、窒素気流下、55℃で6時間反応させた。反応終了後、室温で一晩放置したところ、溶媒からなる上層と生成ポリマーを含む下層に分離した。溶媒層をデカンテーションにより除去し、生成ポリマーを含む下層を得た。
【００４１】
精製） 得られた下層にテトラヒドロフラン７５０mlを加え溶解し、室温下、６リットルの石油エーテル中に滴下し再沈澱させた。沈殿物を濾過後、60℃で一晩乾燥させた。このようにして生成ポリマーを精製し、ポリ（ N-イソプロピルアクリルアミド）精製物を得た。
【００４２】
＜実施例１＞
蒸留水８９体積％と多価アルコールであるエチレングリコール１１体積％とをよく混合し、混合溶媒を調整した。この混合溶媒９９重量％に上記で得られたポリ（ N-イソプロピルアクリルアミド）精製物の１重量％を２０℃で溶解させ実施例１の温度応答性組成物を得た。この組成物のＬＣＳＴを測定すると２８℃であった。
【００４３】
外枠が１２０ｍｍ×１２０ｍｍで内側のサイズが１００ｍｍ×１００ｍｍで厚みが５ｍｍのアクリル樹脂製の窓枠をスペーサーとして用い、該スペーサーの両面に縦、横が１２０ｍｍ×１２０ｍｍで厚みが２ｍｍの正方形のアクリル板を張り合わせたものをセル容器とした。
【００４４】
このセル容器の一箇所に直径１ｍｍの穴を開け注入口とし、該注入口をとおして、実施例１の温度応答性組成物を５０ｍｌを注入し、注入口をエポキシ樹脂で封止し、板状の温度応答性セルを作成し、実施例１の温度応答性セルとした。
【００４５】
このようにして得られた温度応答性セルを低温側から徐々に温度を上昇させていくと２８℃で突然、透明から白濁へと変化した。次に、温度を徐々に下げていき、２８℃未満になると再び透明になった。この組成物は可逆的に変化することが確認できた。
【００４６】
次に、上述した温度応答性セルを用いた温度応答性ディバイスについて詳細に説明する。
図１（ａ）、（ｂ）と、図２の符号１は本発明第一例の温度応答性ディバイスを示しており、この温度応答性ディバイス１は、支持体１１と、温度応答性セル２０とを有している。
【００４７】
温度応答性セル２０は透明なセル容器２１と、セル容器２１内部配置された温度応答性組成物２５とを有している。支持体１１は板状であって、温度応答性セル２０はセル容器２１の一面がメッセージシート１３を挟んで支持体１１の表面に密着して取り付けられている。
【００４８】
ここでは、メッセージシート１３はセル容器２１側の面にインク印刷でインク層１９が形成された紙で構成されており、インク層１９によって文字や図形等の表示情報が表され、表示部１８が構成されている。
【００４９】
図２の符号２９はセル容器２１の表示部１９と密着した側とは反対側の面である観察面を示しており、この温度応答性ディバイス１の観察面を目視により観察する場合、周囲の雰囲気温度が温度応答性組成物２５のＬＣＳＴ以上のときには、温度応答性組成物２５が白濁して不透明となり、図１（ａ）に示すように観察面２９から表示部２９を読み取ることができないが、雰囲気温度が温度応答性組成物２５のＬＣＳＴ未満のときには温度応答性組成物２５が透明になり、図１（ｂ）に示すように表示部１８が観察され、「冷えすぎです」という情報を読み取ることができる。
【００５０】
ここでは、上述した実施例１の温度応答性セル２０を用いており、そのＬＣＳＴは２８℃であったので、雰囲気温度が２８℃以上であると表示部１８は観察されないが、２８℃未満になると表示部１８が観察されるようになる。
【００５１】
この温度応答性ディバイス１は、例えば部屋の冷房のしすぎを知らせるディバイスとして用いることができる。このディバイス１を部屋の壁などの取り付けておくと、冷房時、部屋の温度が２８℃以下になると表示が現れるため、省エネ対策用品として有用である。
【００５２】
以上はセル容器２１の観察面２９とは反対側の面に表示部１８を配置する場合について説明したが、本発明はこれに限定されるものではない。図３、４の符号４は本発明第二例の温度応答性ディバイスを示しており、この温度応答性ディバイス４は上述した第一例と同様の温度応答セル２０と、支持体１１とを有している。
【００５３】
セル容器２１と支持体１１との間であって、セル容器２１の観察面２９とは反対側にはシート状の背景部材４３が配置されており、また観察面２９表面にインク層４９が形成され、該インク層４９によって文字や図形等の表示情報が示され、表示部４８が構成されている。
【００５４】
この温度応答性ディバイス４では背景部材４３は温度応答性組成物２５が不透明なときの色（白色）とは異なる色の背景色に着色され、またインク層４９は白色インクで構成されている。
【００５５】
従って、周囲の雰囲気温度が温度応答性組成物２５のＬＣＳＴ以上であり、温度応答性組成物２５が白濁して不透明な場合には、背景部材４３の背景色が観察されず、図３（ａ）に示すように表示部４８の周囲の色は同じ色になるので、表示部２８は観察されない。
【００５６】
これとは逆に、雰囲気温度が温度応答性組成物２５のＬＣＳＴ未満であり、温度応答性組成物２５が透明な場合には、図３（ｂ）に示すように表示部４８の周囲の色は、表示部４８と異なる色の背景色になるので、表示部４８を観察することができる。
【００５７】
以上は表示部４８を温度応答性組成物２５が不透明な時の色と同じ色にする場合について説明したが、本発明はこれに限定されるものではない。図５、６の符号６は本発明第三例の温度応答性ディバイスを示しており、ここでは支持体１１と、背景部材４３と、温度応答性セル２０の構造と位置関係は上述した第二例の温度応答性ディバイス４と同じになっている。
【００５８】
この応答性ディバイス６では、観察面２９上に温度応答性組成物２５が不透明なときの色とは異なる色であって、背景部材４３の色（背景色）と同色のインク層６９が形成されており、そのインク層６９で表示部６８が構成されている。
【００５９】
従って、雰囲気温度が温度応答性組成物２５のＬＣＳＴ未満であり、温度応答性組成物２５が透明な場合に観察面２９を観察すると、表示部６８の周囲には同色の背景色が見えるので、表示部６８は観察されない。
【００６０】
またこれとは逆に、雰囲気温度が温度応答性組成物２５のＬＣＳＴ以上であり、温度応答性組成物２５が白濁し、不透明な場合に観察面２９を観察すると、表示部６８の周囲は異なる色（白色）になるので、表示部６８を観察することができる。
【００６１】
＜実施例２＞
蒸留水６４体積％と多価アルコールであるエチレングリコール３３体積％と一価アルコールであるノルマルブタノール３体積％とをよく混合し、混合溶媒を調整した。この混合溶媒９８重量％に上述したポリ（ N-イソプロピルアクリルアミド）精製物の２重量％を添加し、３０℃とマイナス５℃の温度の間を、各温度で１２時間、３回サイクル処理することで、最終的にマイナス５℃において溶解した実施例２の温度応答性組成物を得た。この組成物を室温に戻すと白濁した状態であった。この組成物のＬＣＳＴを測定すると０℃であった。
【００６２】
縦が１０００ｍｍ、横が４００ｍｍで厚みが１．８ｍｍのガラス板を２枚用意し、幅２０ｍｍで２ｍｍの厚みのアクリル樹脂板をスペーサーとして、前記２枚のガラス板の周囲を、ホットメルト型接着剤で張り合わせた。また、中央部には直径が１０ｍｍで厚みが２ｍｍのアクリル樹脂の円盤を、スペーサーとして３箇所用いることで、中央部のギャップを保つようにした。
【００６３】
上記ガラス容器のスペーサー部に設けた注入口から、上記の温度応答性組成物８００ｍｌを注入し、注入口はエポキシ樹脂で封止した。この温度応答性セルの背面に”凍結注意”のメッセージを印刷したフィルムを張り合わせ、さらに木製の筐体（支持体）に取り付けて、図示しない温度応答性ディバイスを作製した。この温度応答性ディバイスは、冬季に道路が凍結しスリップする危険性の注意を促す案内標識板として用いることができる。
【００６４】
このディバイスをマイナス５℃に設定された冷蔵庫に入れ冷却すると、３分後にセルが透明化し、”凍結注意”のメッセージが表示された。次にこのディバイスを冷蔵庫から取りだすと、５分後に再び白濁し、このメッセージは隠された。
【００６５】
以上は、温度応答性ディバイスが温度応答性セルを１つ有する場合について説明したが本発明はこれに限定されるものではない。
＜実施例３Ａ、３Ｂ＞
蒸留水６１体積％とエチレングリコール３９体積％とをよく混合し、混合溶媒を調整した。この混合溶媒９９重量％にポリ（ N-イソプロピルアクリルアミド）精製物の１重量％を０℃で溶解させ実施例３Ａの温度応答性組成物を得た。この組成物のＬＣＳＴを測定すると１０℃であった。
【００６６】
次に、蒸留水５７体積％とエチレングリコール４３体積％とをよく混合し、混合溶媒を調整した。この混合溶媒９９重量％にポリ（ N-イソプロピルアクリルアミド）精製物の１重量％を０℃で溶解させ実施例３Ｂの温度応答性組成物を得た。この組成物のＬＣＳＴを測定すると４℃であった。
【００６７】
次に、上述した実施例３Ａ、３ＢのようにＬＣＳＴが互いに異なる２種類以上の温度応答性組成物を用いて温度応答性ディバイスを作成する場合について説明する。図７（ａ）〜（ｃ）と図８の符号８は本発明第四例の温度応答性ディバイスを示しており、温度応答性ディバイス８は温度応答性セル９０ａ、９０ｂを複数個有している。
【００６８】
各温度応答性セル９０ａ、９０ｂは上述した第一例〜第三例の温度応答性ディバイスの温度応答性セルと同様の構造を有しており、各観察面９２ａ、９２ｂを上側に向けた状態で、ＬＣＳＴの低い順から高い順に支持体８１上に積層されている。
【００６９】
この温度応答性ディバイス８では、最上層に位置する観察面９２ｂが観察される側となるので、各温度応答性セル９０ａ、９０ｂはディバイス８を観察する側からＬＣＳＴが高い順に積層された状態になっている。
【００７０】
従って、雰囲気温度が観察する側の温度応答性セル９０ｂのＬＣＳＴよりも高い場合には全ての温度応答性セル９０ａ、９０ｂで温度応答性組成物９５ａ、９５ｂが不透明になる。
【００７１】
各観察面９２ａ、９２ｂ上にはそれぞれ表示部８８ａ、８８ｂが配置されている。それらの表示部８８ａ、８８ｂは温度応答性組成物９５ａ、９５ｂが不透明なときの色とは異なる色のインク層８９ａ、８９ｂで構成されているので、全ての温度応答性セル９０ａ、９０ｂが不透明な場合には、図７（ａ）に示すように観察される側の表示部８８ａだけが観察され、観察される側から２番目以降の表示部８８ｂは観察されない。
【００７２】
雰囲気温度が観察される側のセル９０ａのＬＣＳＴ未満であって、２番目以降のセル９０ｂのＬＣＳＴ以上の温度に低下すると、２番目移行のセル９０ｂは不透明なままであるが、観察される側のセル９０ａは透明になる。
【００７３】
各表示部８８ａ、８８ｂの平面的な位置関係は互いに重なり合わないようになっているので、観察される側のセル９０ａが透明になると、観察される側から２番目の表示部８８ｂが観察されるようになる（図７（ｂ））。
【００７４】
セル容器９１ａ、９１ｂの観察面９２ａ、９２ｂとは反対側の面であって、各表示部８８ａ、８８ｂが位置する位置には背景色８３ａ、８３ｂがそれぞれ配置されており、表示部８８ａ、８８ｂは真裏に位置する背景色８３ａ、８３ｂと同じ色になっているので、温度応答性セル９０ａが透明な場合には、その観察面９２ａ上の表示部８８ａは、同じ色の背景色８３ａによって観察できなくなる。従って、観察される側のセル９０ａだけが透明な場合には、観察される側から２番目の表示部８８ｂだけが観察されることになる。
【００７５】
雰囲気温度が更に低下し、観察される側から２番目の温度応答性セル９０ｂのＬＣＳＴよりも低くなると、２番目の温度応答性セル９０ｂも透明になり、そのセル９０ｂ上の表示部８８ｂも、同じ色の背景色８３ｂによって観察されなくなる（図７（ｃ））。
【００７６】
２番目のセル容器９１ｂの観察面９２ｂとは反対側の面であって、上述した表示部８８ａ、８８ｂと重ならない位置にはインク層９９が形成され、該インク層９９で表示部９８が構成されており、２番目の温度応答性セル９０ｂも透明になると、その表示部９８だけが表示されることになる。
【００７７】
このように、各観察面上に表示部を重ならないように配置し、各表示部の真裏位置に同じ色の背景色を配置しておけば、不透明なセルの観察面上に位置する表示部は観察できるが、透明なセル上の観察面上に位置する表示部は観察できないので、雰囲気温度の変化により選択的に情報を表示することができる。
【００７８】
ここでは、セル容器９１ａ、９１ｂとして、平面形状が横２５ｍｍ×縦４０ｍｍの四角形で厚みが１００μｍのヒートシール性ポリエチレンテレフタレートフィルムを２枚用意し、これの周囲を３ｍｍ幅でヒートシールして張り合わせ、注入口として利用するため、一部分はヒートシールしないでおいたものを用いた。
【００７９】
ひとつの袋には上述した実施例３Ａ（ＬＣＳＴ＝１０℃）の組成物を、もうひとつの袋には実施例３Ｂ（ＬＣＳＴ＝４℃）の組成物を注入し、注入口をヒートシールで封止し、温度応答性セル９０ａ、９０ｂとした。
【００８０】
観察される側の観察面９２ａには、その下３分の一の場所に、黄色で”まだ温い”というメッセージを直接、書き込んで観察される側の表示部８８ａを形成した。次に、セルと同サイズの透明フィルム８６に、その下３分の１を黄色のベタ印刷を行い、観察される側の表示部８８ａに対応する背景色８３ａを形成し、中央の３分の一に”飲み頃です”のメッセージを青色で印刷して２番目の表示部８８ｂを形成し、上の３分の一はそのまま透明にしたものを作製し、これを観察される側のセル９０ａと２番目のセル９０ｂの間に配置した。最後に、２番目のセル９０ｂの観察面９２ｂとは反対側の背面には、上の３分の１に、”冷えすぎです”のメッセージを印刷して表示部９８を作成し、中央部分の３分の一には青色のベタ印刷を施した紙を張り合わせ、２番目の表示部８８ｂに対応する背景色８３ｂを構成した。これらを筐体（支持体）８１にセットした。
【００８１】
この温度応答性ディバイスは１０℃から４℃の温度範囲で表示が変化するため、例えば、飲み物の飲み頃を示す温度応答性ディバイスに用いることができる。ひとつのビール瓶に、このディバイスと温度計を取り付け、冷蔵庫内に入れた。ビール瓶が冷却されるにつれて、このディバイスのメッセージ変化を観察した。この際の温度は取り付けた温度計によって測定した。室温から徐々に冷却されていき、まず、１０℃において観察される側のセル９０ａが透明化した。このとき、セル９０ａの前面の黄色の文字で書かれた”まだ温い”のメッセージは、中間のメッセージフィルムの黄色のベタ印刷が背景となったため、視認できなくなり、代わって中間のメッセージ”飲み頃です”の青い文字がセル９０ｂの白濁を背景とし、可視化された。次に４℃になったときに、セル９０ｂも透明化された。このため、”飲み頃です”の青字のメッセージは背面メッセージ紙の青色が背景となるため、視認できなくなり、背面メッセージの”冷えすぎです”が視認化された。
【００８２】
このように温度応答性セルを多段に重ねることにより、より複雑なメッセージ表示をすることが可能となる。
以上は温度応答性セルを１又は２つ有する温度応答性ディバイスについて説明したが、温度応答性セルの数は特に限定されるものではなく、３つ以上の温度応答性セルを積層させ、ディバイスを作製することもできる。
【００８３】
観察面９２ａ、９２ｂに位置する表示部８８ａ、８８ｂの色は温度応答性組成物９５ａ、９５ｂが不透明なときの色と同じであってもよい。この場合、背景色８３ａ、８３ｂを対応する表示部８８ａ、８８ｂと異なる色にしておけば、透明な温度応答性セル９０ａ、９０ｂ上に位置する表示部８８ａ、８８ｂが全て観察されることになる。
【００８４】
＜参考例１＞
蒸留水と多価アルコールであるプロピレングリコールとを下表１に示す割合でよく混合し、５種類の混合溶媒を調整した。この混合溶媒９９重量％に上述したポリ（ N-イソプロピルアクリルアミド）精製物の１重量％を添加し、５種類の温度応答性組成物４Ａ、４Ｂ、４Ｃ、４Ｄ、４Ｅを得た。この組成物のＬＣＳＴを測定するとそれぞれ、１０℃、５℃、０℃、マイナス１０℃、マイナス２０℃であった。
【００８５】
【表１】
2005164528.tif 000003
【００８６】
＜実施例４＞
蒸留水と多価アルコールであるエチレングリコールを種々の割合で混合し、９種類の混合溶媒を調整した。この混合溶媒９９重量％に上述したポリ（ N-イソプロピルアクリルアミド）精製物の１重量％を添加し、９種類の組成物を調整した。
【００８７】
これらの組成物のＬＣＳＴを測定し、次に、エチレングリコールの配合割合とＬＣＳＴの相関関係をプロットし、図９に示すグラフを得た。尚、図９の縦軸は温度応答性組成物が白濁した温度であるcloud point（曇り点）を示し、横軸はエチレングリコールの配合量（体積％）を示している。
【００８８】
このグラフのフィットネスカーブを３次式で求めたところ、０．９９９６の高い相関係数で上述した相関式（１）（Ｙ＝−０．０００３Ｘ3＋０．００８２Ｘ2−０．４３２２Ｘ＋３２．２１）を得た。この数式（１）を用いることで、任意のＬＣＳＴを有する組成物を調合することができる。
【００８９】
２０℃から３０℃まで正確に１℃刻みとなるような組成物を調整するために、上記の相関式（１）から、蒸留水とエチレングリコールとの割合を計算し、その結果を下表２に示した。
【００９０】
【表２】
2005164528.tif 000004
【００９１】
この表２にしたがって、蒸留水と多価アルコールであるエチレングリコールとをよく混合し、１１種類の混合溶媒を調整した。この混合溶媒９９重量％に、上述した合成例１のポリ（ N-イソプロピルアクリルアミド）精製物の１重量％を添加し、１１種類の温度応答性組成物５Ａ〜５Ｋを得た。この組成物のＬＣＳＴを測定すると、２０℃から３０℃まで正確に１℃刻みであった。
【００９２】
上述した各温度応答性組成物５Ａ〜５Ｋを、直径が８ｍｍ、長さ４０ｍｍのガラス製の試験管３１ａ〜３１ｋに注入し、ポリエチレン製の蓋３２ａ〜３２ｋを用いて密封し、１１種類の温度応答性セル３０ａ〜３０ｋを得た（図１０）。
【００９３】
これら１１種類の温度応答性セル３０ａ〜３０ｋは２０℃から１℃刻みで３０℃までの異なるＬＣＳＴを有している。図１１はこれらの温度応答性セル３０ａ〜３０ｋを室温（２２．４℃）に置いた状態を示しており、ＬＣＳＴが２２℃以下の温度応答性セル３０ａ〜３０ｃでは温度応答性組成物が白濁したが、ＬＣＳＴが２３℃以上の温度応答性セル３０ｄ〜３０ｋでは温度応答性セルが透明であった。
【００９４】
例えば、各温度応答性セル３０ａ〜３０ｋの試験管（セル容器）３１ａ〜３１ｋの側面の一部分に表示部を形成し、側面の表示部が配置された側とは反対側の部分を観察面とすれば、温度応答性組成物３５ａ〜３５ｋが透明なときに表示部が観察される。上述したように各温度応答性セル３０ａ〜３０ｋはＬＣＳＴが左からＬＣＳＴが低い順番に並べられているので、温度変化によって順番に表示部が現れたり、見えなくなる温度応答性ディバイスとなる。
【００９５】
また、各試験管３１ａ〜３１ｋ側面の表示部が配置された部分を観察面とし、該観察面とは反対側に背景色を配置したものを温度応答性ディバイスとすることもできる。この場合、表示部の色を温度応答性組成物３５ａ〜３５ｋが不透明なときの色と同じ色にし、背景色を表示部とは異なる色にすれば、温度応答性組成物３５ａ〜３５ｋが透明なときに表示部が観察されるディバイスとなり、また表示部の色を温度応答性組成物３５ａ〜３５ｋが不透明なときの色とは異なる色にすれば温度応答性組成物が不透明になったときに表示部が観察されるディバイスとなる。
上記の参考例１と実施例４から、多価アルコールと水との配合割合を変え、溶媒中の水の配合量を調整することで、所望の値のＬＣＳＴを有する温度応答性組成物が得られることがわかる。
【００９６】
＜実施例５＞
蒸留水８９体積％とエチレングリコール１１体積％とをよく混合し、混合溶媒を調整した。この混合溶媒９８重量％に上記で得られたポリ（ N-イソプロピルアクリルアミド）精製物１重量％と、ジェランガムであるゲル化剤１重量％を混合し、２０℃でポリ（ N-イソプロピルアクリルアミド）精製物を溶解させ、（この時点でジェランガムは溶解していない）、温度応答性組成物を得た。
この温度応答性組成物を上述した第一例の温度応答性ディバイス１に用いたものと同じセル容器２１に封入し、温度応答性セルを作製した。
【００９７】
得られた温度応答性セルを、加熱温度８５℃のオーブン内に８時間入れて加熱することで、ジェランガムを溶解させた（加熱温度は温度応答性組成物のＬＣＳＴよりも高いので、この時点で、温度応答性ポリマーであるポリ（ N-イソプロピルアクリルアミド）は析出し、溶液は白濁している）。
【００９８】
次にこれをオーブンから取り出し、２０℃まで冷却した。ポリ（ N-イソプロピルアクリルアミド）は再溶解し、溶液は透明となり、ほぼ同時に溶液はゲル化した。このようにして、ゲル化した組成物を有する温度応答性セルを得た。この温度応答性セルのＬＣＳＴを測定すると、ゲル化させていない温度応答性組成物と同じ２８℃であった。また、透明・白濁を、繰り返し変化させてもその可逆変化の様子は変わることなく、十分な耐久性のあることが確認できた。
【００９９】
ゲル化した温度応答性組成物はゲル化によって流動性が失われているため、このような組成物を用いればより安定した温度応答性ディバイスを得ることができる。本発明に用いることのできるゲル化剤はジェランガムに限定されず、温度応答性組成物を吸収し、膨潤する膨潤性物質であれば、キサンタンガム、ローカストビーンガム、グアーガム、ペクチン、カラギーナン等種々のものを用いることができる。
【図面の簡単な説明】
【０１００】
【図１】（ａ）、（ｂ）：本発明第一例の温度応答性ディバイスの平面図
【図２】本発明第一例の温度応答性ディバイスの断面図
【図３】（ａ）、（ｂ）：本発明第二例の温度応答性ディバイスの平面図
【図４】本発明第二例の温度応答性ディバイスの断面図
【図５】（ａ）、（ｂ）：本発明第三例の温度応答性ディバイスの平面図
【図６】本発明第三例の温度応答性ディバイスの断面図
【図７】（ａ）〜（ｃ）：本発明第四例の温度応答性ディバイスの平面図
【図８】本発明第四例の温度応答性ディバイスの断面図
【図９】曇り点と多価アルコールの配合量との関係を示すグラフ
【図１０】本発明に用いる温度応答性セルの一例を示す断面図
【図１１】本発明に用いる温度応答性セルの写真
【符号の説明】
【０１０１】
１、４、６、８……温度応答性ディバイス    １１、８１……支持体（筐体）    １３、４３、８３ａ、８３ｂ……背景部材（背景色）    １８、４９、６８、８８ａ、８８ｂ、９８……表示部    ２０、９０ａ、９０ｂ……温度応答性セル    ２１、９１ａ、９１ｂ……セル容器    ２５、９５ａ、９５ｂ……温度応答性組成物    ２９、９２ａ、９２ｂ……観察面
【図１】
2005164528.tif 000005
【図２】
2005164528.tif 000006
【図３】
2005164528.tif 000007
【図４】
2005164528.tif 000008
【図５】
2005164528.tif 000009
【図６】
2005164528.tif 000010
【図７】
2005164528.tif 000011
【図８】
2005164528.tif 000012
【図９】
2005164528.tif 000013
【図１０】
2005164528.tif 000014
【図１１】
2005164528.tif 000015